(57)【要約】【課題】  メインＳＷがオフするときの装置内の電源の立下り特性の相違による通信異常の自動報知を防止。【解決手段】  メインスイッチを介して給電される交流電圧を直流電圧に変換する交流／直流変換手段５４０；前記直流電圧を設定電圧に調整する直流電源装置５１４，５３０；および、該直流電源装置から給電され画像処理の制御を行う制御手段５１０，５０１を備える画像処理装置において、前記メインスイッチのオフにより前記直流電源装置の出力電圧が前記制御手段の動作電圧未満に低下する前に、前記交流／直流変換手段への交流電圧の遮断を検出するＡＣ遮断検知手段５４１；を備えたことを特徴とする。制御手段５０１は、前記通信手段による制御手段間の通信不良を検出したとき、前記ＡＣ遮断検知手段５４１が交流電圧印加ありを検知している場合のみ通信不良情報を発生する。【選択図】  図４
2006270304.tif 000002
【特許請求の範囲】
【請求項１】
メインスイッチを介して給電される交流電圧を直流電圧に変換する交流／直流変換手段；前記直流電圧を設定電圧に調整する直流電源装置；および、該直流電源装置から給電され画像処理の制御を行う制御手段を備える画像処理装置において、
前記メインスイッチのオフにより前記直流電源装置の出力電圧が前記制御手段の動作電圧未満に低下する前に、前記交流／直流変換手段への交流電圧の遮断を検出するＡＣ遮断検知手段；を備えたことを特徴とする画像処理装置。
【請求項２】
前記直流電源装置は複数であり；前記制御手段も各直流電源装置から給電される複数であって；画像処理装置は更に、前記制御手段間の通信を行う通信手段を備え；前記制御手段は、前記通信手段による制御手段間の通信不良を検出したとき、前記ＡＣ遮断検知手段が交流電圧印加ありを検知している場合のみ通信不良情報を発生する；ことを特徴とする請求項１に記載の画像処理装置。
【請求項３】
前記通信不良情報を表示する表示手段を更に備える；請求項２に記載の画像処理装置。
【請求項４】
前記制御手段は前記通信不良情報を不揮発メモリに書込む；請求項２又は３に記載の画像処理装置。
【請求項５】
前記制御手段は前記通信不良情報を、外部への通信により遠隔の管理装置に報知する、請求項２乃至４のいずれか１つに記載の画像処理装置。
【請求項６】
前記画像処理装置は、用紙上に画像を形成する作像手段を含み；前記制御手段の１つは前記作像手段による画像形成を制御するエンジン制御手段であって；もう１つの制御手段は、外部との通信により書画情報をやり取りするシステム制御手段である；請求項１乃至５のいずれか１つに記載の画像処理装置。
【請求項７】
更に、原稿画像を読み取って該画像を表す画像データを生成する原稿スキャナを含み；前記エンジン制御手段は該原稿スキャナの原稿画像読み取り，読み取り画像データに基づく前記作像手段による画像形成、および、読み取り画像データの前記システム制御手段への送出、を制御する；請求項６に記載の画像処理装置。
【発明の詳細な説明】
【技術分野】
【０００１】
本発明は、交流電源を給電されて所定電圧の直流電圧を出力する直流電源装置および該直流電圧によって動作する制御装置を含む画像処理装置に関し、特に、複数の直流電源装置と各直流電源装置から給電される複数の制御装置を含む画像処理しステムに関する。本発明は例えば、ネットワークプリンタ，ネットワークスキャナ，複写機，ファクシミリ装置および外部通信機能がある複合機能複写機に使用することができる。
【背景技術】
【０００２】
【特許文献１】特開平  ４−  ３１８５６４号公報
【特許文献２】特開２０００−３１２２６８号公報
【特許文献３】特開２００１−  ２２２３３号公報。
【０００３】
特許文献１は、複写動作の制御をおこなう複写制御手段と、通信回線との通信制御を行う通信制御手段と、通信制御手段自体の機能不良を検知する通信不良検知手段を備えて、通信不良検知手段により通信制御手段自体の機能が不良であることを検知したとき警告表示手段により警告表示する複写装置を記載している。
【０００４】
特許文献２には、制御系のＤＣ電源とパワー系のＤＣ電源のシーケンス特にＡＣ遮断時の制御系電源低下時の制御部の無制御状態におけるパワー系負荷の安定動作を目的として、電源オンリセット信号に応答してＣＰＵが周辺デバイスにリセット信号を送って周辺デバイスへのバス状態を確定して周辺デバイスに確実にリセットをかけてから、周辺デバイスへの制御電源をオンにして、周辺制御デバイスを初期化する画像形成装置が記載されている。
【０００５】
特許文献３には、電源スイッチがオンすると３．３Ｖの立ち上がりでリセット信号を発生してこれによって２４Ｖをマスクし、所定時間が経過するとリセットを解除し、同時に２４Ｖのマスクを解除するファクシミリ装置が記載されている。
【０００６】
従来、装置内の複数制御手段間の通信を行い、その通信不良が起こった場合装置内の不具合として認識し、制御手段内の不揮発記憶装置に記憶したり、表示装置に表示を行ったり、外部遠隔地診断装置に対し、通報したりしている。しかしながら装置内で制御用電源を生成しているが、メインＳＷのＯＦＦ時に各電源の立下り勾配が違ってくる。そこで立下りが早い電源を使用している制御部と立下りが遅い電源を使用している制御部間で当然ながら立下りが早い電源を使用している制御部が制御不能となり、通信不良を発生させる。
【発明の開示】
【発明が解決しようとする課題】
【０００７】
それによりまだ立ち下がっていない制御部により通信不良情報の記憶や、遠隔地診断への通報といった事を引き起こしてしまう。本発明は、メインＳＷがオフするときの装置内の電源の立下り特性の相違による通信異常の自動報知を防止することを目的とする。
【課題を解決するための手段】
【０００８】
（１）メインスイッチを介して給電される交流電圧を直流電圧に変換する交流／直流変換手段(540)；前記直流電圧を設定電圧に調整する直流電源装置(514,530)；および、該直流電源装置から給電され画像処理の制御を行う制御手段(510,501)を備える画像処理装置において、
前記メインスイッチのオフにより前記直流電源装置の出力電圧が前記制御手段の動作電圧未満に低下する前に、前記交流／直流変換手段への交流電圧の遮断を検出するＡＣ遮断検知手段(541)；を備えたことを特徴とする画像処理装置(MF1)。
【０００９】
なお、理解を容易にするために括弧内には、図面に示し後述する実施例の対応要素又は対応事項の記号を、例示として参考までに付記した。以下も同様である。
【発明の効果】
【００１０】
メインスイッチのオフにより直流電源装置の出力電圧が前記制御手段の動作電圧未満に低下する前に、ＡＣ遮断検知手段(541)が交流電圧の遮断を検知するので、該制御手段は、メインスイッチのオフにより動作電圧が消える前に、メインスイッチのオフを認知して、制御を正常に終えることができる。例えば、他の制御手段又は電気回路がメインスイッチのオフによって不応答になっても、これを異常と誤報することを回避できる。
【発明を実施するための最良の形態】
【００１１】
（２）前記直流電源装置は複数(514,530)であり；前記制御手段も各直流電源装置から給電される複数(510,501)であって；画像処理装置は更に、前記制御手段間の通信を行う通信手段(PCI)を備え；前記制御手段(501)は、前記通信手段による制御手段間の通信不良を検出したとき、前記ＡＣ遮断検知手段(541)が交流電圧印加ありを検知している場合のみ通信不良情報を発生する；ことを特徴とする上記（１）に記載の画像処理装置(MF1)。
【００１２】
制御手段間の通信不良が発生した場合に確実な警告を行うことができるのに加え、メインスイッチのオフによる電源装置の電圧降下をＡＣの導通状態を監視することにより、不要な通信不良判断を押さえマシンの不必要な不良警告、ダウンタイム、それに伴う修理作業が押さえられる。
【００１３】
（３）前記通信不良情報を表示する表示手段(502)を更に備える；上記（２）に記載の画像処理装置。
【００１４】
（４）前記制御手段(501)は前記通信不良情報を不揮発メモリ(NV-RAM)に書込む；上記（２）又は（３）に記載の画像処理装置。
【００１５】
（５）前記制御手段(501)は前記通信不良情報を、外部への通信(504,522)により遠隔の管理装置に報知する、上記（２）乃至（４）のいずれか１つに記載の画像処理装置。
【００１６】
（６）前記画像処理装置は、用紙上に画像を形成する作像手段(200)を含み；前記制御手段の１つは前記作像手段による画像形成を制御するエンジン制御手段(510)であって；もう１つの制御手段は、外部との通信により書画情報をやり取りするシステム制御手段(501)である；上記（１）乃至（５）のいずれか１つに記載の画像処理装置。
【００１７】
（７）更に、原稿画像を読み取って該画像を表す画像データを生成する原稿スキャナ(120,300)を含み；前記エンジン制御手段(510)は該原稿スキャナの原稿画像読み取り，読み取り画像データに基づく前記作像手段(200)による画像形成、および、読み取り画像データの前記システム制御手段(501)への送出、を制御する；上記（６）に記載の画像処理装置。
【００１８】
（８）画像形成装置の制御を行う複数の制御手段(510,501)とその制御手段間の通信を行う通信手段(PCI)と、通信不良を検知する検知手段(501)と、装置の不具合情報等を通報する外部遠隔診断装置との通信手段(504,522)と、警告表示手段(501,502)を備えた画像形成装置であって、
メインＳＷのＯＦＦによるＡＣの遮断時にＤＣ制御電圧の低下以前にＡＣ遮断を検知する(541)ことを特徴とする画像形成装置。
【００１９】
（９）前記警告表示手段(501,502)は、制御手段(510/501)間の通信不良を検知した場合、ＡＣの通電状態を監視し、複数ＣＰＵ(510,501の各ＣＰＵ)間の通信不良をＡＣ遮断によるものかどうかを判断し、ＡＣ供給に問題が無い場合即時に警告表示することを特徴とする上記（８）記載の画像形成装置。
【００２０】
（１０）前記警告表示手段(501,502)は、制御手段(510/501)間の通信不良を検知し、かつ、ＡＣの遮断を検知した場合、警告表示を行わない事を特徴とする上記（１）記載の画像形成装置。
【００２１】
（１１）制御手段(510/501)間の通信不良を検知し、かつ、ＡＣの遮断を検知した場合、警告表示手段に警告表示を行わない事と同時に制御手段(501)に備える不揮発性記憶手段(NV-RAM)に通信不良情報を記憶しない事を特徴とする上記（８）記載の画像形成装置。
【００２２】
（１２）制御手段(510/501)間の通信不良を検知し、かつ、ＡＣの遮断を検知した場合、警告表示手段(501,502)に警告表示を行わない事と同時に外部遠隔地診断装置との通報を実施しない事を特徴とする上記（８）記載の画像形成装置。
【００２３】
本発明の他の目的および特徴は、図面を参照した以下の実施例の説明より明らかになろう。
【実施例１】
【００２４】
図１に、本発明の一実施例の複合機能フルカラーデジタル複写機ＭＦ１の外観を示す。このフルカラー複写機は、大略で、自動原稿送り装置（ＡＤＦ）１２０と、操作ボード５０２と、カラースキャナ３００と、カラープリンタ２００と、給紙バンク３５の各ユニットで構成されている。機内の画像データ処理装置には、パソコンＰＣが接続したＬＡＮ（Local Area Network）が接続されている。また、機内のファクシミリコントローラは、交換機ＰＢＸおよび公衆通信網ＰＮを介して、ファクシミリ通信をすることが出来る。
【００２５】
プリンタ２００には、転写ユニットがあり、該転写ユニットには、無端ベルトである転写ベルト２０８がある。転写ベルト２０８は、３つの支持ローラと１つのテンションローラに掛け廻されており、反時計廻りに回動駆動される。テンションローラの近くに、画像転写後に転写ベルト２０８上に残留する残留トナーを除去する転写体クリーニングユニットがある。
【００２６】
１つの支持ローラともう１つの支持ローラとの間の転写ベルト２０８には、その移動方向に沿って、Ｂｋ，Ｙ，Ｍ，Ｃ各色作像用の作像ユニットが装備され、これらの中にある各感光体ドラムに、転写ベルト２０８を挟んで対向して、転写ローラ２０５がある。前記作像装置の上方には、各色感光体ユニットの各感光体ドラムに画像形成のためのレーザ光を照射するレーザ露光ユニット５１２がある。感光体ドラムを、帯電ローラ２０４が均一に帯電し、帯電面をレーザ露光ユニット５１２が画像信号で変調したレーザを投射する。これによって生じた静電潜像を、現像器が現像してトナー像とする。このトナー像が転写ベルト２０８に転写される。
【００２７】
転写ベルト２０８の下方には、搬送ベルト２１３がある。搬送ベルト２１３は、転写ベルト２０８上のトナー像を、用紙上に転写する。トナー像を転写した用紙（転写紙）は、搬送ベルト２１３で定着ユニット２１４に送り出される。搬送ベルト２１３および定着ユニット２１４の下方に、表面に画像を形成した直後の用紙を、裏面にも画像を記録するために表裏を反転して送り出すシート反転ユニットである両面ドライブユニットがある。
【００２８】
スタートスイッチが押されると、原稿自動搬送装置（ＡＤＦ）１２０に原稿があるときは、それをスキャナ３００のコンタクトガラス上に搬送してから、ＡＤＦ１２０に原稿が無いときにはコンタクトガラス上に手置きの原稿を読むために直ちに、スキャナ３００を駆動し、スキャナ３００内の第１キャリッジおよび第２キャリッジを、読み取り走査駆動する。そして、第１キャリッジ上の光源からコンタクトガラスに光を発射するとともに原稿面からの反射光を第１キャリッジ上の第１ミラーで反射して第２キャリッジに向け、第２キャリッジ上のミラーで反射して結像レンズを通して読取りセンサであるＣＣＤに結像する。読取りセンサで得た画像信号に基づいてＢｋ，Ｙ，Ｍ，Ｃ各色記録データが生成される。
【００２９】
また、スタートスイッチが押されたときに、転写ベルト２０８の回動駆動が開始されるとともに、前記作像装置の各ユニットの作像準備が開始され、そして各色作像の作像シーケンスが開始されて、各色用の感光体ドラムに各色記録データに基づいて変調された露光レーザが投射され、各色作像プロセスにより、各色トナー像が転写ベルト２０８上に一枚の画像として、重ね転写される。このトナー画像の先端が搬送ベルト２１３に進入するときに同時に先端が搬送ベルト２１３に進入するようにタイミングをはかって用紙がレジストローラ対２１２から転写ベルト２１３に送り込まれ、これにより転写ベルト２０８上のトナー像が用紙に転写する。転写ベルト２０８には、転写ローラ２０５によって、トナーを転写する電圧が印加される。トナー像が移った用紙は定着ユニット２１４に送り込まれ、そこでトナー像が用紙に定着する。
【００３０】
なお、上述の用紙は、給紙バンク３５の給紙トレイ（給紙段又はカセットとも言う）２０９〜２１１の直近上方の給紙ローラの１つを選択回転駆動し、給紙バンク３５に多段に備える給紙トレイ２０９〜２１１の１つからシートを繰り出し、分離ローラで１枚だけ分離して、縦配列の搬送コロユニットに入れ、上方に搬送してプリンタ２００内の搬送コロユニットに導き、搬送コロユニットのレジストローラ対２１２に突き当てて止めてから、前述のタイミングで搬送ベルト２１３に送り出されるものである。右側端の手差しトレイ上に用紙を差し込んで給紙することもできる。ユーザが手差しトレイ上に用紙を差し込んでいるときには、プリンタ２００が手差しトレイ部の給紙ローラを回転駆動して手差しトレイ上のシートの一枚を分離して手差し給紙路に引き込み、同じくレジストローラ対２１２に突き当てて止める。
【００３１】
定着ユニット２１４で定着処理を受けて排出される用紙は、切換爪で排出ローラに案内して図示を省略した排紙トレイ上にスタックする。または、切換爪で両面ドライブユニットに案内して、そこで反転して再び転写位置へと導き、裏面にも画像を記録して後、排出ローラで排紙トレイ上に排出する。一方、画像転写後の転写ベルト２０８上に残留する残留トナーは、図示を省略した転写体クリーニングユニットで除去し、再度の画像形成に備える。
【００３２】
図２に、図１に示す複合機能複写機ＭＦ１の電装系統のシステム構成を示す。電装システムは、画像形成装置の全体制御を行うコントローラ５０１、コントローラ５０１に接続された、画像形成装置の操作ボード５０２、画像データを記憶するＨＤＤ５０３、アナログ回線を使用して外部との通信を行う通信コントロール装置インターフェースボード５０４、ＬＡＮインターフェースボード５０５、汎用ＰＩＣバスに接続された、ＦＡＸのコントロールユニット５０６、ＩＥＥＥ１３９４ボード、無線ＬＡＮボード、ＵＳＢボード等５０７と、ＰＣＩバスでコントローラに接続されたエンジン制御５１０、エンジン制御５１０に接続された、画像形成装置のＩ／Ｏを制御するＩ／Ｏボード５１３、及び、コピー原稿（画像）を読み込むスキャナーボード（ＳＢＵ：Sensor Board Unit）５１１、及び画像データをドラム上に書き込むＬＤＢ（レーザダイオードボード）５１２等で構成される。
【００３３】
原稿を光学的に読み取る読取ユニット３００は、原稿に対する原稿照明光源の走査を行い、ＣＣＤ５２０に原稿像を結像する。原稿像すなわち原稿に対する光照射の反射光をＣＣＤ５２０で光電変換してＲ，Ｇ，Ｂ画像信号を生成する。
【００３４】
通信コントロール装置インターフェイスボード５０４は、装置に不具合が発生した場合に外部の遠隔地診断装置に即時に通報し、故障個所の内容，状況等をサービスマンが認識し早急に修理することを可能としている。また、それ以外に装置の使用状況等の発信にも使用されている。
【００３５】
図２に示すＣＣＤ５２０は、３ラインカラーＣＣＤで、ＥＶＥＮｃｈ（偶数画素チャンネル）／ＯＤＤｃｈ（奇数画素チャンネル）のＲ、Ｇ、Ｂ画像信号を生成し、ＳＢＵボードのアナログＡＳＩＣ(Application Specific IC)に入力する。ＳＢＵボードにはアナログＡＳＩＣ及び，ＣＣＤ、アナログＡＳＩＣの駆動タイミングを発生する回路を備えている。ＣＣＤ５２０の出力は、アナログＡＳＩＣ内部のサンプルホールド回路により、サンプルホールドされその後、Ａ／Ｄ変換され、Ｒ、Ｇ、Ｂの画像データに変換し、且つシェーディング補正し、そして出力Ｉ／Ｆ（インターフェイス）５２０で画像データバスを介して画像データ処理器ＩＰＰ（Image Processing Processor；以下では単にＩＰＰと記述）に送出する。
【００３６】
ＩＰＰは画像処理をおこなうプログラマブルな演算処理手段であり、分離生成（画像が文字領域か写真領域かの判定：像域分離），地肌除去，スキャナガンマ変換，フィルタ，色補正，変倍，画像加工，プリンタガンマ変換および階調処理を行う。ＳＢＵからＩＰＰに転送された画像データは、ＩＰＰにて光学系およびデジタル信号への量子化に伴う信号劣化（スキャナ系の信号劣化）を補正され、フレームメモリ５２１に書き込まれる。
【００３７】
システムコントローラ５０１には、ＣＰＵ及びシステムコントローラボードの制御を行うＲＯＭ、ＣＰＵが使用する作業用メモリであるＲＡＭ，リチウム電池を内臓し、ＳＲＡＭのバックアップと時計を内臓したＮＶ−ＲＡＭ及び、システムコントローラボードのシステバス制御、フレームメモリ制御、ＦＩＦＯ等のＣＰＵ周辺を制御するＡＳＩＣ及びそのインターフェース回路等が搭載されている。
【００３８】
システムコントローラ５０１は、スキャナアプリケーション，ファクシミリアプリケーション，プリンタアプリケーションおよびコピーアプリケーション等の複数アプリケーションの機能を有し、システム全体の制御を行う。操作ボード５０２の入力を解読して本システムの設定とその状態内容を操作ボードの表示部に表示する。
【００３９】
ＰＣＩバスには多くのユニットが接続されており、画像データバス／制御コマンドバスで、画像データと制御コマンドが時分割で転送される。
【００４０】
通信コントロール装置インターフェースボード５０４は、通信コントロール装置と、コントローラ５０１との通信インターフェースボードである。コントローラ５０１との通信は、全二重非同期シリアル通信で接続されている。通信コントロール装置５２２とは、ＲＳ−４８５インターフェース規格により、マルチドロップ接続されている。遠隔の管理システムとの通信は、この通信コントローラ装置インターフェースボード５０４を経由して実施される。
【００４１】
ＬＡＮインターフェースボード５０５は、社内ＬＡＮに接続されている。社内ＬＡＮとコントローラ５０１との通信インターフェースボードであり、ＰＨＹチップを搭載している。ＬＡＮインターフェースボード５０５とコントローラ５０１とは、ＰＨＹチップＩ／Ｆ及びＩ２ＣバスＩ／Ｆの標準的な通信インターフェースで接続されている。外部機器との通信はこのＬＡＮインターフェースボード５０５を経由して実施される。
【００４２】
ＨＤＤ５０３は、システムのアプリケーションプログラムならびにプリンタ、作像プロセス機器の機器付勢情報を格納するアプリケーションデータベース、ならびに、読取り画像や書込み画像のイメージデータ、すなわち画像データ、ならびにドキュメントデータを蓄える画像データベースとして用いられる。物理インターフェース、電気的インターフェース共に、ＡＴＡ／ＡＴＡＰＩ−４に準拠したインターフェースでコントローラに接続されている。
【００４３】
操作ボード５０２には、ＣＰＵ及びＲＯＭ，ＲＡＭ、ＬＣＤ及びキー入力を制御するＡＳＩＣ（ＬＣＤＣ）が搭載されている。ＲＯＭには操作ボード５０２の入力読込み、及び表示出力を制御する、操作ボード５０２の制御プログラムが書き込まれている。ＲＡＭは、ＣＰＵで使用する作業用メモリである。システムコントローラ５０１との通信により、パネルを操作して使用者がシステム設定の入力を行う入力と、使用者にシステムの設定内容，状態を表示する、表示および入力の制御を行っている。
【００４４】
システムコントローラ５０１のワークメモリから出力されたブラック（Ｂ）、イエロー（Ｙ）、シアン（Ｃ）、マデンタ（Ｍ）の各色の書き込み信号は、ＬＤＢ  （Laser Diode control Board）のＢ，Ｙ，Ｍ、ＣのＬＤ（Laser Diode）書き込み回路に入力される。ＬＤ書き込み回路でＬＤ電流制御（変調制御）が行われ、各ＬＤに出力される。
【００４５】
エンジン制御５１０は、画像形成の作像作成制御を主として行い、ＣＰＵ及び、画像処理を行うＩＰＰ、複写およびプリントアウトを制御するため必要なプログラムを内蔵したＲＯＭ、その制御に必要なＲＡＭ、及びＮＶ―ＲＡＭを搭載している。ＮＶ−ＲＡＭにはＳＲＡＭと、電源ＯＦＦを検知して、ＥＥＰＲＯＭにストアするメモリを搭載している。また、他の制御を行なうＣＰＵとの信号の送受信を行なう、シリアルインターフェースも備えているＩ／Ｏ  ＡＳＩＣは、エンジン制御ボードが実装された、近くのＩ／Ｏ（カウンター、ファン、ソレノイド、モーター等）を制御するＡＳＩＣである。Ｉ／Ｏ制御ボード５１３とエンジン制御ボード５１０とは同期シリアルインターフェース接続されている。
【００４６】
Ｉ／Ｏ制御ボード５１３には、サブＣＰＵ５１７を搭載しており、Ｐセンサ、Ｔセンサ等のアナログ制御も含む画像形成装置のＩ／Ｏ制御を行っている。ドアーが開閉された時に、新しいプロセスカートリッジの装着を検知する。図２のＩ／Ｏ制御ボード５１３に接続されたドアーＳＷがオープンになると、プロセスカートリッジを入れ替えた可能性があるので、確認を行い、結果をエンジン制御５１０に送信する。
【００４７】
インターフェース回路５１５は、プロセスカートリッジに搭載されたＩＣタグとのインターフェース回路である。非接触通信手段５１６と、本体制御部との通信は非同期のシリアルインターフェースで行われる。本体側から出力された信号を、非接触通信手段５１６は伝送用の所定の信号に変調して、送受信兼用アンテナに送る。プロセスカートリッジ側の非接触通信手段は、プロセスカートリッジの送受信兼用アンテナで受けた受信信号を伝送用の所定信号から復調した後パラレル信号に変化して、プロセスカートリッジのＣＰＵに送る。プロセスカートリッジ側のＩＣタグのＣＰＵから非接触通信手段により、本体側に送信する場合も同じ動作を行なう。又は、インターフェース回路５１５はプロセスカートリッジに搭載された不揮発性メモリと接続するようにしても良い。
【００４８】
第１電源装置ＰＳＵ(1) ５１４は、画像形成装置を制御する電源を供給するユニットである。メインＳＷのオン（閉）により、商用電源が供給される。その商用電源からＡＣ制御回路５４０に商用ＡＣが供給され、図３に示すように、ＡＣ制御回路５４０により整流、平滑化のように制御されたＡＣ制御出力を用いて、第１電源装置ＰＳＵ(1) ５１４は各制御基板に必要なＤＣ電圧を供給する。第１電源装置ＰＳＵ(1)により生成される定電圧を用いて各制御部のＣＰＵが動作している。又，特に画像形成装置のように装置が大きく様々な場所に制御部が位置している場合には、電源装置ＰＳＵから制御用の定電圧たとえば５Ｖをハーネスと呼ばれる電線で電装すると電圧低下をもたらす為、ＰＳＵ近傍の制御基板に対しては５Ｖを伝送し、それをＣＰＵ等の制御用電圧として使用し，遠方の制御基板の場合は例えば２４Ｖのような比較的高い電圧で一般的にモータ等の高負荷用に使用する電圧を伝送し、制御基板上で降圧させ５Ｖに変換して使用することがある。
【００４９】
メインＳＷのＯＮ（閉）時には各ＣＰＵに対して起動のリセットを行うリセット機構を設ける事で正しく起動し、各制御基板間のＣＰＵ同士の通信が正常に行われる。しかしながらメインＳＷのＯＦＦ（開）時（図５  Ａ点）には制御不能となっている。特に上述のようにＰＳＵの５Ｖによる制御ＣＰＵとＰＳＵの２４Ｖを降圧して使用している制御ＣＰＵ間で通信している場合、その時に片側のＣＰＵが制御不能となる事で通信不良となる事がある。
【００５０】
それは図５のように２４Ｖのような高負荷用の電源に対しては電圧安定化の為に大容量のキャパシタが接続されている為に、低負荷の５Ｖと比較すると電圧低下の勾配が大きく違ってくる。更に２４Ｖの電圧低下が遅く更にそこから５Ｖに降圧させている為、場合によってはその２４Ｖが５Ｖ近く（図５  Ｃ点）に低下するまで安定的に５Ｖを生成し、結果的に前者によるＣＰＵは即座に制御不能（図５  Ｂ点）となるが、後者はしばらく制御可能状態となっている状態となる。
【００５１】
そのような時に後者の制御ＣＰＵにより通信不良を検知し、表示部への警告表示、不揮発性記憶部への記憶、外部遠隔地診断への通報といった不要な故障状態の処置がなされる不具合がある。もちろんこれらは全ての電圧が低下してしまえば表示部への警告表示あるいは遠隔地診断への通報は即時には不可能であるが、不揮発性の記憶部への記憶情報により再度電源が投入された時に行われる事もある。よってこれらの情報により装置が故障と判断され、サービスマンによる修理や装置のダウンタイムが発生してしまう事となる。
【００５２】
本実施例では、コントローラ５０１のＣＰＵは、このときＡＣの遮断状態を検知する手段を用いてメインＳＷのＯＦＦがなされた事を検知し、その場合には制御部同士の通信不良が発生しても、操作者によるＯＦＦ時の状態である為、警告表示や通信不良発生の記憶、外部への通報を行わない。そのＡＣ遮断状態は、図３に示すゼロクロス検出回路を用いて検出する。すなわち、ゼロクロス信号が途絶すると、コントローラ５０１のＣＰＵは、メインＳＷがオフしたと検知する。図３のゼロクロス信号とは主に画像形成装置のヒータの通電制御に使用されている信号であり、検知回路の為に新たな回路を必要とせず、コストアップも生じない。
【００５３】
又，装置の負荷等の構成、ＰＳＵの構成によりメインＳＷのＯＦＦ時の各定電圧出力の降下勾配は確認可能であるため、ゼロクロス信号等の検知回路に使用する供給電源は勾配の緩やかな電源すなわち最後まで制御を行い他制御部との通信不良を認識する制御ＣＰＵ部分と共通の電源を使用すればよい。
【００５４】
また、第２電源装置ＰＳＵ(2) ５３０のように複数のＰＳＵを持つ構成もある。この場合も前述の２４Ｖから制御電圧を生成していた場合と同様の問題がある。この場合は単純に各ＰＳＵに接続されている負荷、電圧安定化用のキャパシタ等の影響で、図６のように各出力５Ｖ(1)、５Ｖ(2)の降下勾配が変わる為、Ｂ点からＣ点の間に通信不良を検知する同様の不具合が発生する。このときも５Ｖ(2)の給電を受けるＣＰＵが、メインＳＷのＯＦＦを、ゼロクロス信号の途絶によって検知する事で同様に不具合の回避が可能である。
【００５５】
図４は上記の一実施例における動作フローである。コントローラ５０１のＣＰＵは、通信に異常を検出するとＡＣの通電状態（ＡＣ遮断検知）を確認し（Ｓ１，Ｓ２）、すなわちゼロクロス信号の発生の有無を確認して、ＡＣ通電中（ゼロクロス信号あり）であれば従来どおり操作ボード５０２の液晶ディスプレイへの警告表示、不揮発性メモリＮＶ−ＲＡＭへの記憶および５０４，５２２を介しての外部遠隔地診断装置（管理装置）への通報を行う（Ｓ３，Ｓ４）。一方通信異常を検出してもＡＣの遮断（ゼロクロス信号なし）を検知した場合は、異常処理をマスクし、異常処理動作を行わない（Ｓ５）。
【００５６】
以上の事より複数制御部、複数ＰＳＵを持っている画像形成装置の制御部間の確実な通信異常判定を実施する事が出来る。
【図面の簡単な説明】
【００５７】
【図１】本発明の第１実施例の電源装置を装備した複合機能フルカラー複写機の縦断面図である。
【図２】図１に示す複写機の画像処理システムの概要を示すブロツク図である。
【図３】図２に示すＡＣ制御回路５４０の構成を示すブロツク図である。
【図４】図２に示すコントローラ５０１のＣＰＵの通信監視の概要を示すフローチャートである。
【図５】図２に示す電源装置５１４の出力電圧の変化を示すタイムチャートである。
【図６】図２に示す電源装置５１４および５３０の出力電圧５Ｖ（１），５Ｖ（２）の変化を示すフローチャートである。
【符号の説明】
【００５８】
５０２：操作ボード
３００：カラー原稿スキャナ
１２０：自動原稿供給装置
２００：カラープリンタ
ＰＣ：パソコン
ＰＢＸ：交換器
ＰＮ：通信回線
５１２：光書込みユニット
２０４：帯電ローラ
２０５：転写ローラ
２０８：転写ベルト
２０９〜２１１：給紙トレイ
２１２：レジストローラ対
２１３：搬送ベルト
２１４：定着ユニット
５１４，５３０：電源装置
【図１】
2006270304.tif 000003
【図２】
2006270304.tif 000004
【図３】
2006270304.tif 000005
【図４】
2006270304.tif 000006
【図５】
2006270304.tif 000007
【図６】
2006270304.tif 000008